(57)【要約】【解決手段】光を入射するための第１の直線導波路２の、長手方向の中心軸線を基準線として、テーパ導波路３に接続される第１の曲線導波路４ａ、４ｂの円弧の開放部が、基準線に対して外向きになるように接続される。また、第１の曲線導波路４ａ、４ｂに接続される第２の曲線導波路５ａ、５ｂの円弧の開放部が、基準線に対して内向きになるように接続される。さらに、第１及び第２の曲線導波路を介して接続される第２の直線導波路６ａ、６ｂが、基準線Ｘに対して０度より大きい角度で外向きに接続されている。【効果】  本発明によれば、全長を短くできるとともに、各出力ポート毎の偏波特性が均一な光分岐導波路を提供することができる。【選択図】図１
2005055690.tif 000002
【特許請求の範囲】
【請求項１】
第１の直線導波路と、
この第１の直線導波路に接続されて、当該第１の直線導波路から光を入射したとき、その光を分岐するテーパ導波路と、
このテーパ導波路に接続されるものであって、第１の曲線導波路と、第２の曲線導波路と、第２の直線導波路とを、この順に接続した、複数の分岐回路とを備え、
前記第１の直線導波路の、中心軸線を基準線としたとき、前記第１の曲線導波路の中心軸線を通る円弧の開放部は、前記基準線に対して外向きになるように接続され、前記第２の曲線導波路の中心軸線を通る円弧の開放部は、前記基準線に対して内向きになるように接続されており、
前記第２の直線導波路の中心軸線と前記基準線の挟む角は、０度より大きい角度に選定され、かつ、前記第２の直線導波路の中心軸線が、前記第２の曲線導波路との接続点から遠くなるほど、前記基準線から遠ざかるように、前記第２の曲線導波路と前記第２の直線導波路とが接続されていることを特徴とする光分岐導波路。
【請求項２】
前記第１の曲線導波路と第２の曲線導波路の接続点と、前記第２の曲線導波路と前記第２の直線導波路の接続点で、それぞれ各導波路の中心軸線が、相互に所定の軸ずれ量だけ軸ずれするように、突き合わせ接続されていることを特徴とする請求項１記載の光分岐導波路。
【請求項３】
前記複数の光分岐導波路を従属接続して形成された光導波路回路と、複数の平行な光導波路を持つ光導波路アレイとの間に、光分岐後の直線導波路中を伝送される光信号を前記基準線とほぼ平行な方向に向けるように、光路の向きを変更する導波路を挿入することを特徴とする請求項１に記載の光分岐導波路。
【請求項４】
請求項１に記載の光分岐導波路を複数連結したものであって、
一方の光分岐導波路の曲線導波路に直接接続された直線導波路が、他方の光分岐導波路のテーパ導波路に直接接続された直線導波路に突き合わせ接続されるように、各光分岐導波路の直線導波路を相互に接続したことを特徴とする光分岐導波路。
【請求項５】
請求項１に記載の光分岐導波路を複数連結したものであって、
一方の光分岐導波路の曲線導波路に直接接続された直線導波路と、他方の光分岐導波路のテーパ導波路に直接接続された直線導波路とが共用されるように、各光分岐導波路を相互に接続したことを特徴とする光分岐導波路。
【請求項６】
前記第２の直線導波路に接続されて、当該第２の直線導波路から光を入射したとき、その光を分岐する第２のテーパ導波路と、
この第２のテーパ導波路に接続されるものであって、第３の曲線導波路と、第４の曲線導波路と、第３の直線導波路とを、この順に接続した、複数の分岐回路とを備え、
前記第２の直線導波路の、中心軸線を第２の基準線としたとき、前記第３の曲線導波路の中心軸線を通る円弧の開放部は、前記第２の基準線に対して外向きになるように接続され、前記第４の曲線導波路の中心軸線を通る円弧の開放部は、前記第２の基準線に対して内向きになるように接続されており、
前記第３の直線導波路の中心軸線と前記第２の基準線の挟む角は、０度より大きい角度に選定され、かつ、前記第３の直線導波路の中心軸線が、前記第４の曲線導波路との接続点から遠くなるほど、前記第２の基準線から遠ざかるように、前記第４の曲線導波路と前記第３の直線導波路とが接続されていることを特徴とする請求項１記載の光分岐導波路。
【請求項７】
前記第１の曲線導波路と第２の曲線導波路の接続点と、前記第２の曲線導波路と前記第２の直線導波路の接続点で、それぞれ各導波路の中心軸線が、相互に所定の軸ずれ量だけ軸ずれするように、突き合わせ接続され、
前記第３の曲線導波路と第４の曲線導波路の接続点と、前記第４の曲線導波路と前記第３の直線導波路の接続点で、それぞれ各導波路の中心軸線が、相互に所定の軸ずれ量だけ軸ずれするように、突き合わせ接続されていることを特徴とする請求項６記載の光分岐導波路。
【請求項８】
前記複数の光分岐導波路を従属接続して形成された光導波路回路と、複数の平行な光導波路を持つ光導波路アレイとの間に、光分岐後の直線導波路中を伝送される光信号を前記基準線とほぼ平行な方向に向けるように、光路の向きを変更する導波路を挿入することを特徴とする請求項６記載の光分岐導波路。
【発明の詳細な説明】
【技術分野】
【０００１】
本発明は、全長が短く、偏波依存性の少ない光分岐導波路に関する。
【背景技術】
【０００２】
近年インターネットが急速に普及し、通信ネットワークをますます充実させる必要性が高まってきている。光導波路は、光通信ネットワークを構成するための重要な要素として、幹線系や加入者系光ファイバ網中に使用されている。
【０００３】
光通信ネットワーク中で、光信号を複数の回路に分岐したり、複数の回路から入射した光を合波して一つの光導波路に入射したりするために、光分岐導波路が使用される。例えば、代表的な光分岐導波路として、Ｙ型光分岐導波路が知られている。
【０００４】
Ｙ型光分岐導波路は、１本の直線状の光導波路端に、光を分岐するためのテーパ導波路が接続され、さらに、このテーパ導波路に２本の光導波路が接続されているものである（例えば、特許文献１参照）。
【０００５】
このようなＹ型光分岐導波路を複数組み合わせて、１×４、・・・１×Ｎという構成の光分岐導波路を造ることができる。１つのＹ型光分岐導波路のテーパ導波路によって分岐された２本の光導波路に、それぞれ別のＹ型光分岐導波路を接続すると、１×４の光分岐導波路を造ることができる。従来は、上記テーパ導波路に、曲線導波路と直線導波路を組み合わせた構造の光分岐導波路が接続されたものが知られている。（例えば、特許文献２及び特許文献３参照）。
【特許文献１】特開平５−１１１３０号公報
【特許文献２】特開平４−２１３４０７号公報
【特許文献３】特開平４−２８９８０３号公報
【発明の開示】
【発明が解決しようとする課題】
【０００６】
ところで、上記のような従来の技術には、次のような解決すべき課題があった。
特許文献１に開示されているようなY型光分岐導波路は、全体的にみると、導波路の長さが長くなる。従って、Y型光分岐導波路を多数組み合わせて接続してなる光分岐導波路は、その長さが無視できなくなるという問題点があった。
【０００７】
また、特許文献２に開示されている光分岐導波路は曲線導波路と直線導波路を組み合わせた構造であり、出力側の各導波路の偏波特性は良好である。しかし、やはり全体的に導波路長が長くなるという問題点があった。
【０００８】
一方、導波路の全長を短くすることを目的として、特許文献３のような技術が開示されている。この技術では、光分岐導波路に含まれる直線導波路の部分を、後段にいくに従って所定の向きに配置して、全長が長くなるのを抑える構造を採用している。しかし、この構造では、出力側の各導波路の偏波特性に不均一性が見られるという問題点があった。
【０００９】
本発明は全長を短くできるとともに、偏波特性の均一性も良好な光分岐導波路を提供するものである。
【課題を解決するための手段】
【００１０】
本発明は以上の点を解決するため次の構成を採用する。
【００１１】
〈構成１〉
第１の直線導波路と、この第１の直線導波路に接続されて、当該第１の直線導波路から光を入射したとき、その光を分岐するテーパ導波路と、このテーパ導波路に接続されるものであって、第１の曲線導波路と、第２の曲線導波路と、第２の直線導波路とを、この順に接続した、複数の分岐回路とを備え、上記第１の直線導波路の、中心軸線を基準線としたとき、上記第１の曲線導波路の中心軸線を通る円弧の開放部は、上記基準線に対して外向きになるように接続され、上記第２の曲線導波路の中心軸線を通る円弧の開放部は、上記基準線に対して内向きになるように接続されており、上記第２の直線導波路の中心軸線と上記基準線の挟む角は、０度より大きい角度に選定され、かつ、上記第２の直線導波路の中心軸線が、上記第２の曲線導波路との接続点から遠くなるほど、上記基準線から遠ざかるように、上記第２の曲線導波路と上記第２の直線導波路とが接続されていることを特徴とする光分岐導波路。
【００１２】
〈構成２〉
上記第１の曲線導波路と第２の曲線導波路の接続点と、上記第２の曲線導波路と上記第２の直線導波路の接続点で、それぞれ各導波路の中心軸線が、相互に所定の軸ずれ量だけ軸ずれするように、突き合わせ接続されていることを特徴とする構成１記載の光分岐導波路。
【００１３】
〈構成３〉
上記複数の光分岐導波路を従属接続して形成された光導波路回路と、複数の平行な光導波路を持つ光導波路アレイとの間に、光分岐後の直線導波路中を伝送される光信号を上記基準線とほぼ平行な方向に向けるように、光路の向きを変更する導波路を挿入することを特徴とする構成１に記載の光分岐導波路。
【００１４】
〈構成４〉
構成１に記載の光分岐導波路を複数連結したものであって、一方の光分岐導波路の曲線導波路に直接接続された直線導波路が、他方の光分岐導波路のテーパ導波路に直接接続された直線導波路に突き合わせ接続されるように、各光分岐導波路の直線導波路を相互に接続したことを特徴とする光分岐導波路。
【００１５】
〈構成５〉
構成１に記載の光分岐導波路を複数連結したものであって、一方の光分岐導波路の曲線導波路に直接接続された直線導波路と、他方の光分岐導波路のテーパ導波路に直接接続された直線導波路とが共用されるように、各光分岐導波路を相互に接続したことを特徴とする光分岐導波路。
【００１６】
〈構成６〉
上記第２の直線導波路に接続されて、当該第２の直線導波路から光を入射したとき、その光を分岐する第２のテーパ導波路と、この第２のテーパ導波路に接続されるものであって、第３の曲線導波路と、第４の曲線導波路と、第３の直線導波路とを、この順に接続した、複数の分岐回路とを備え、上記第２の直線導波路の、中心軸線を第２の基準線としたとき、上記第３の曲線導波路の中心軸線を通る円弧の開放部は、上記第２の基準線に対して外向きになるように接続され、上記第４の曲線導波路の中心軸線を通る円弧の開放部は、上記第２の基準線に対して内向きになるように接続されており、上記第３の直線導波路の中心軸線と上記第２の基準線の挟む角は、０度より大きい角度に選定され、かつ、上記第３の直線導波路の中心軸線が、上記第４の曲線導波路との接続点から遠くなるほど、上記第２の基準線から遠ざかるように、上記第４の曲線導波路と上記第３の直線導波路とが接続されていることを特徴とする構成１記載の光分岐導波路。
【００１７】
〈構成７〉
上記第１の曲線導波路と第２の曲線導波路の接続点と、上記第２の曲線導波路と上記第２の直線導波路の接続点で、それぞれ各導波路の中心軸線が、相互に所定の軸ずれ量だけ軸ずれするように、突き合わせ接続され、上記第３の曲線導波路と第４の曲線導波路の接続点と、上記第４の曲線導波路と上記第３の直線導波路の接続点で、それぞれ各導波路の中心軸線が、相互に所定の軸ずれ量だけ軸ずれするように、突き合わせ接続されていることを特徴とする構成６記載の光分岐導波路。
【００１８】
〈構成８〉
上記複数の光分岐導波路を従属接続して形成された光導波路回路と、複数の平行な光導波路を持つ光導波路アレイとの間に、光分岐後の直線導波路中を伝送される光信号を上記基準線とほぼ平行な方向に向けるように、光路の向きを変更する導波路を挿入することを特徴とする構成６記載の光分岐導波路。
【発明の効果】
【００１９】
本発明によれば、第１の直線導波路とテーパ導波路とを接続したものに、第１の曲線導波路と第２の曲線導波路と第２の直線導波路とをこの順に接続した、複数の分岐回路とを接続するので、全長を短くできるとともに、各出力ポート毎の偏波特性が均一な光分岐導波路を提供することができる。
【発明を実施するための最良の形態】
【００２０】
以下、本発明の実施の形態について具体例を用いて説明する。
【実施例１】
【００２１】
図１は本発明の光分岐導波路の一実施の形態を表した図である。図１において、本実施の形態における光分岐導波路１では、光を入射するための第１の直線導波路２に、光を分岐するためのテーパ導波路３が接続されている。図の左下の左端にある一点鎖線の円内に、第１の直線導波路２の拡大横断面図を示した。この導波路は、コア２３とクラッド２４とを備える。光はコア２３中を伝送される。図の左下の右側にある一点鎖線の円内に、テーパ導波路３の右端部分の横断面図を示した。テーパ導波路３は、コア２３の断面積をテーパ状に拡大することにより、第１の直線導波路２から入射した光を分岐する機能を持つ。なお、この例では、光を図の左端の、第１の直線導波路２から入射して、右方向に伝送する方法を説明している。
【００２２】
このテーパ導波路３には、それぞれ第１の曲線導波路４ａ、４ｂが接続されている。第１の曲線導波路４ａ、４ｂには、それぞれ、第２の曲線導波路５ａ、５ｂが接続されている。そして、第１の曲線導波路４ａと、第２の曲線導波路５ａと、第２の直線導波路６ａとを、この順に接続した分岐回路を備える。さらに、第１の曲線導波路４ｂと、第２の曲線導波路５ｂと、第２の直線導波路６ｂとを、この順に接続した分岐回路を備える。即ち、これら一対の分岐回路により、Ｙ型光分岐導波路が実現されている。これらの導波路は、図示しない基板上に形成される。
【００２３】
この光分岐導波路において、第１の直線導波路２の中心軸線は、Ｙ型光分岐導波路の対称軸上にある。この中心軸線を、基準線Ｘと呼ぶことにする。図の上方の一点鎖線円中に、第１の曲線導波路４ａの部分の拡大側面図を示した。この図に示すように、第１の曲線導波路４ａの中心軸線を通る円弧２０の開放部２１は、基準線Ｘに対して外向きになるように接続されている。第１の曲線導波路４ａの円弧２０とは、一点鎖線で示したように、第１の曲線導波路４ａの中心線を長手方向に辿った線のことである。また、第１の曲線導波路４ａの円弧２０の開放部２１とは、第１の曲線導波路４ａの円弧の中心２２に向かうほうの側面のことである。外向きというのは基準線Ｘから離れる方向のことで、内向きというのは、基準線Ｘに向かう方向のことである。
【００２４】
さらに、第１の曲線導波路４ａに連なるように接続された、第２の曲線導波路５ａの中心軸線を通る円弧の開放部は、基準線Ｘに対して内向きになるように接続されている。即ち、換言すれば、第１の曲線導波路４ａでは、円弧の中心２２が曲線導波路よりも、基準線Ｘから遠い側にあり、第２の曲線導波路５ａでは、円弧の中心２２が曲線導波路よりも、基準線Ｘに近い側にある。こうして、第１の曲線導波路４ａと第２の曲線導波路５ａとは、全体として、Ｓ字状の導波路を形成している。テーパ導波路３の出力側にＳ字状の導波路を形成したのは、後で説明するように、偏波特性を均一にするためである。第１の曲線導波路４ｂと第２の曲線導波路５ｂも、全く同様にして、Ｓ字状の導波路を形成している。
【００２５】
次に、第２の直線導波路６ａと第２の直線導波路６ｂの接続方向について説明する。第２の直線導波路６ａの中心軸線Ｘ１と基準線Ｘの挟む角θは、０度より大きい角度に選定されている。しかも、第２の直線導波路６ａの中心軸線Ｘ１が、第２の曲線導波路５ａとの接続点から遠くなるほど、基準線Ｘから遠ざかるように、第２の曲線導波路５ａと第２の直線導波路６ａとが接続されている。同様にして、第２の直線導波路６ｂの中心軸線Ｘ２と基準線Ｘの挟む角θは、０度より大きい角度に選定されている。しかも、第２の直線導波路６ｂの中心軸線Ｘ２が、第２の曲線導波路５ｂとの接続点から遠くなるほど、基準線Ｘから遠ざかるように、第２の曲線導波路５ｂと第２の直線導波路６ｂとが接続されている。
【００２６】
図のＹ型光分岐導波路で、テーパ導波路３と一対の分岐回路中を伝送される光信号の偏波特性を均一にするために、分岐回路の接続構造を最適化する。第１の曲線導波路４ａと第２の曲線導波路５ａとにより、光回路が展開される平面上で、Ｓ字状の導波路を形成する。第１の曲線導波路４ａ、４ｂの円弧の曲率半径や、第２の曲線導波路５ａ、５ｂの円弧の曲率半径と、全長は、導波路の材料と、伝送される光信号の波長や強度に応じて、最適な値に選定することが好ましい。実験によれば、図のように、テーパ導波路３を用いて光信号をＹ字状に分岐する場合は、第２の直線導波路６ａ及び第２の直線導波路６ｂの方向も、Ｙ字状に選定すると、光のモード分布を最適化できる。即ち、これらの中心軸線Ｘ１とＸ２が、第２の曲線導波路５ａ、５ｂとの接続点から遠くなるほど、基準線Ｘから遠ざかるように角度θを選定するとよい。
【実施例２】
【００２７】
図２は本発明の他の実施の形態を表した図である。なお、図１と同一の箇所は同一の符号で表すこととする。
図２の実施の形態はいわゆる１×４型の光分岐導波路の例である。図１に示した光分岐導波路１の第２の直線導波路６ａには、第２のテーパ導波路７が接続されている。この第２のテーパ導波路７には、第３の曲線導波路８ａ、８ｂと、第４の曲線導波路９ａ、９ｂが、この順に接続されている。さらに、第４の曲線導波路９ａ、９ｂには、第３の直線導波路１０ａ及び１０ｂがそれぞれ接続されている。もう一方の第２の直線導波路６ｂには第２のテーパ導波路１１が接続されている。この第２のテーパ導波路１１には、第３の曲線導波路１２ａ、１２ｂと、第４の曲線導波路１３ａ、１３ｂが、この順に接続されている。さらに、第４の曲線導波路１３ａ、１３ｂには、第３の直線導波路１４ａ及び１４ｂがそれぞれ接続されている。こうして、１本の第１の直線導波路２から光を入力したとき、その光が分岐されて、４本の第３の直線導波路１０ａ、１０ｂ、１４ａ、１４ｂから光が出射する光分岐導波路が得られる。
【００２８】
なお、第２の直線導波路６ａ、第２のテーパ導波路７、第３の曲線導波路８ａ、８ｂ、第４の曲線導波路９ａ、９ｂ、第３の直線導波路１０ａ、１０ｂから成る光分岐導波路は、図１に示した、第１の直線導波路２、テーパ導波路３、第１の曲線導波路４ａ、４ｂ、第２の曲線導波路５ａ、５ｂ、第２の直線導波路６ａ、６ｂから成る光分岐導波路と同様に設計されたものである。第２の直線導波路６ｂにつながる、もう一方の光分岐導波路も、同様である。従って、例えば、第２の直線導波路６ａの中心軸線を基準線としたとき、第３の直線導波路１０ａと基準線の挟む角θは、０度より大きい角度に選定されている。他の直線導波路についても、同様である。
【実施例３】
【００２９】
図３は、光分岐導波路の組み合わせ方法を説明するための説明図である。
図の３組の光分岐導波路１ａ、１ｂ、１ｃは、いずれも、図１で説明をした構成の光分岐導波路である。例えば、図の光分岐導波路１ａの、第２の曲線導波路５ｂに直接接続された直線導波路６ｂを、光分岐導波路１ｂのテーパ導波路３に直接接続された第１の直線導波路２に、突き合わせ接続すると、３分岐の光分岐導波路ができる。また、光分岐導波路１ｂの第２の直線導波路６ａに、光分岐導波路１ｃの第１の直線導波路２を接続することもできる。なお、完成した光分岐導波路の小型化を計るために、例えば、光分岐導波路１ａと光分岐導波路１ｂとを接続するときに、互いに突き合わせ接続される第２の直線導波路６ａと第１の直線導波路２とを共通化するとよい。その結果得られたものが、図２に示した４分岐の光分岐導波路である。
【００３０】
ここで、平面基板上で上記のような光分岐導波路を複数従属接続させたとき、光分岐前の直線導波路と光分岐後の、２本の直線導波路の中心軸線の挟む角θを、０度より大きい角度に選定して、隣り合う光分岐導波路の、光分岐後の２本の直線導波路が互いに重なり合わずに、多分岐を実現できるという効果がある。例えば、図２において、第３の直線導波路１０ａや１４ｂをさらに別の光分岐導波路によって、分岐しても、その光分岐後の２本の直線導波路が互いに基板上で重なり合わない。一方、第３の直線導波路１０ｂや１４ａは、これ以上分岐しないでよい。以上のようにして、本発明では、図２で説明した１×４型の外に、１×８型、１×１６型、・・・、１×Ｎ型の光導波路回路を作成することができる。
【実施例４】
【００３１】
図４は、光分岐導波路の光出力方法を説明する説明図である。
光導波路回路は、その最終端において、通常、光導波路アレイと接続される。この光導波路アレイを構成する複数の光導波路は、一般に、上記基準線Ｘ（図１）とほぼ平行に配置される。ところが、例えば、図２に示した光分岐導波路の最右端の直線導波路、１０ａ、１０ｂ、１４ａ、１４ｂは、いずれも、互いに平行にはならない。故に、本発明の光分岐導波路と、複数の平行な光導波路を持つ光導波路アレイ３１との間には、光分岐後の直線導波路、１０ａ、１０ｂ、１４ａ、１４ｂ中を伝送される光信号の伝搬モードの変化を抑制しながら、光分岐後の直線導波路中を伝送される光信号を基準線Ｘとほぼ平行な方向に向けるように、光路の向きを変更する導波路３０を挿入することが好ましい。これは、光ファイバあるいは光ファイバと同等の特性を持つ光導波路により実現できる。従って、本発明の光分岐導波路はこのようにして、各種の光導波路回路の一部に使用することができる。
【００３２】
図５は図２で示した１×４型の光分岐導波路の偏波特性を示した図である。図のグラフの縦軸は、規格化偏波依存損失を示し、横軸は光の各出力ポート（出射側光導波路）を表す。第３の直線導波路１０ａ、１０ｂ、１４ａ、１４ｂの出力ポートの番号が、それぞれ（１）、（２）、（３）、（４）とされている。なお、比較のために、特許文献３に示したものと同様な光分岐導波路を作成して、その偏波特性を測定した例を示した。本発明の実施例の出力は黒丸（●）、比較例の出力は白四角（□）で表してある。なお、規格化偏波依存損失というのは、偏波に依存して発生する光の伝送損失レベルを示すデータである。このグラフから明らかなように、本発明の光分岐導波路では、各出力ポート毎の偏波依存損失のばらつきが比較例に比べて極めて少ないことが分かる。
【００３３】
この理由として考えられることは以下の通りである。即ち、導波路を進行する光のモード分布は直線導波路では導波路の中心に位置し安定しているが、曲率半径の小さい曲線導波路では径の外側に移動する。また、テーパ導波路では高次モードが発生する。従って、一般的にテーパ導波路３、第１曲線導波路４ａ、４ｂを通過した光のモード分布は蛇行して進行する。そのため、次に入射する導波路に対してはモード分布の蛇行の程度によって分岐比が偏波依存性を持つことになる。この分岐比の偏波依存性が出力ポート間の偏波特性を悪化させ不均一なものとしてしまう。そこで、本発明のような第２曲線導波路を挿入して第１曲線導波路と第２曲線導波路とでＳ字状の導波路を形成すれば光のモードを安定化させる役割を果たし、出力ポート間の偏波特性が改善されると考えられる。
【実施例５】
【００３４】
図６は、本発明の光分岐導波路において、各導波路相互間を接続する方法の説明図である。
以上のような光導波路回路は、例えば、数ミリメートルから数十ミリメートル四方の石英ガラス基板上に形成される。図１に示した、第１の曲線導波路４ａ、４ｂに接続される第２の曲線導波路５ａ、５ｂ、さらに第２の曲線導波路５ａ、５ｂに接続される第２の直線導波路６ａ、６ｂはそれぞれ中心軸線をずらして接続することが好ましい。例えば、第１の曲線導波路４ａの出力端において、そのモード分布がＭ１１のようにやや左側に偏っているとする。このとき、第１の曲線導波路４ａと第２の曲線導波路５との接続点において、対向する両導波路の中心軸線を、所定の軸ずれ量ｄだけずらす。これにより、第２の曲線導波路５中に入射する光のモード分布を、図のＭ１２に示すように、導波路の中心にシフトさせることが可能になる。どの程度軸をずらすかは曲線導波路の曲率半径や長さによって異なるので製品の設計毎に最適な軸ずれ量を算出すればよい。第２の曲線導波路５ａ、５ｂに接続される第２の直線導波路６ａ、６ｂの接続点でも、同様の構成を採用するとよい。これにより、第１及び第２の曲線導波路の全長が短くても、十分にモード分布を均一化した、小型の光分岐導波路が実現する。
【図面の簡単な説明】
【００３５】
【図１】本発明の光分岐導波路の一実施の形態を表した図である。
【図２】本発明の他の実施の形態を表した図である。
【図３】光分岐導波路の組み合わせ方法を説明するための説明図である。
【図４】光分岐導波路の光出力方法を説明する説明図である。
【図５】１×４型の光分岐導波路の偏波特性を示した図である。
【図６】本発明の光分岐導波路において、各導波路相互間を接続する方法の説明図である。
【符号の説明】
【００３６】
１    光分岐導波路
２    第１の直線導波路
３    テーパ導波路
４ａ、４ｂ  第１の曲線導波路
５ａ、５ｂ  第２の曲線導波路
６ａ、６ｂ  第２の直線導波路
Ｘ    基準線
２０  円弧
２１  開放部
Ｘ１、Ｘ２  中心軸線
θ    挟む角
【図１】
2005055690.tif 000003
【図２】
2005055690.tif 000004
【図３】
2005055690.tif 000005
【図４】
2005055690.tif 000006
【図５】
2005055690.tif 000007
【図６】
2005055690.tif 000008